(57)【要約】    【課題】  使用者の操作によって光源装置に対して消灯要求がなされた場合に、その操作を撤回可能な時期には使用者がそのことを明確に認識できるようにして、もってプロジェクタの使い勝手を向上することができるプロジェクタを提供する。    【解決手段】  光源装置１０と、光源装置から射出される照明光束を画像情報に応じて変調して画像光を生成する液晶装置４０Ｒ，４０Ｇ，４０Ｂと、液晶装置により生成された画像光を投写する投写光学系６０とを備えたプロジェクタ１００において、光源装置１０の消灯要求があった場合には、液晶装置の制御を行って第１の所定時間Ｔ１をかけて画面フェードアウトを行う第１機能と、第１の所定時間Ｔ１内に光源装置１０の消灯要求が撤回された場合には、画面フェードアウトを中止し、第１の所定時間Ｔ１内に光源装置１０の消灯要求が撤回されなかった場合には、光源装置１０を消灯させる第２機能とを有することを特徴とする。【選択図】  図３
2006293118.tif 000002
【特許請求の範囲】
【請求項１】
光源装置と、前記光源装置から射出される照明光束を画像情報に応じて変調して画像光を生成する電気光学変調装置と、前記電気光学変調装置により生成された画像光を投写する投写光学系とを備えたプロジェクタにおいて、
光源装置の消灯要求があった場合には、前記電気光学変調装置の制御を行って第１の所定時間をかけて画面フェードアウトを行う第１機能と、
前記第１の所定時間内に前記光源装置の消灯要求が撤回された場合には、前記画面フェードアウトを中止し、前記第１の所定時間内に前記光源装置の消灯要求が撤回されなかった場合には、前記光源装置を消灯させる第２機能とを有することを特徴とするプロジェクタ。
【請求項２】
請求項１に記載のプロジェクタにおいて、
前記光源装置の消灯要求は、電源オフ操作に基づくものであることを特徴とするプロジェクタ。
【請求項３】
請求項１に記載のプロジェクタにおいて、
前記光源装置の消灯要求は、前記光源装置の消灯操作に基づくものであることを特徴とするプロジェクタ。
【請求項４】
請求項１に記載のプロジェクタにおいて、
前記光源装置の消灯要求は、映像モードから音声モードへのモード切換操作に基づくものであることを特徴とするプロジェクタ。
【請求項５】
請求項１〜４のいずれかに記載のプロジェクタにおいて、
前記第１機能は、前記画面フェードアウトを行っているときには、前記光源装置が点灯していることを示すインジケータを点灯又は点滅させる機能をさらに有することを特徴とするプロジェクタ。
【請求項６】
請求項１〜５のいずれかに記載のプロジェクタにおける光源装置の消灯方法において、
前記第２機能は、前記第１の所定時間内に前記光源装置の消灯要求が撤回された場合には、前記画面フェードアウトを中止するとともに前記電気光学変調装置の制御を行って第２の所定時間をかけて画面フェードインを行う機能をさらに有することを特徴とするプロジェクタ。
【請求項７】
請求項６に記載のプロジェクタにおいて、
前記第２の所定時間は前記第１の所定時間よりも短いことを特徴とするプロジェクタ。
【請求項８】
請求項１〜７のいずれかに記載のプロジェクタにおいて、
前記第１機能は、前記光源装置を点灯させてから第３の所定時間内に前記光源装置の消灯要求があった場合には、少なくとも前記第３の所定時間をかけて画面フェードアウトを行う機能をさらに有することを特徴とするプロジェクタ。
【請求項９】
請求項１〜８のいずれかに記載のプロジェクタにおいて、
前記第２機能は、前記光源装置を消灯させた場合には、第４の所定時間を経過してから前記光源装置を冷却するための冷却ファンを停止させる機能をさらに有することを特徴とするプロジェクタ。
【請求項１０】
光源装置と、前記光源装置から射出される照明光束を画像情報に応じて変調して画像光を生成する電気光学変調装置と、前記電気光学変調装置により生成された画像光を投写する投写光学系と備えたプロジェクタにおける光源装置の消灯方法において、
光源装置の消灯要求があった場合には、前記電気光学変調装置の制御を行って第１の所定時間をかけて画面フェードアウトを行う第１ステップと、
前記第１の所定時間内に前記光源装置の消灯要求が撤回された場合には、前記画面フェードアウトを中止し、前記第１の所定時間内に前記光源装置の消灯要求が撤回されなかった場合には、前記光源装置を消灯させる第２ステップとを有することを特徴とするプロジェクタにおける光源装置の消灯方法。
【請求項１１】
光源装置と、前記光源装置から射出される照明光束を画像情報に応じて変調して画像光を生成する電気光学変調装置と、前記電気光学変調装置により生成された画像光を投写する投写光学系とを備えたプロジェクタに、
光源装置の消灯要求があった場合には、前記電気光学変調装置の制御を行って第１の所定時間をかけて画面フェードアウトを行う第１ステップと、
前記第１の所定時間内に前記光源装置の消灯要求が撤回された場合には、前記画面フェードアウトを中止し、前記第１の所定時間内に前記光源装置の消灯要求が撤回されなかった場合には、前記光源装置を消灯させる第２ステップとを実行させる手順を有することを特徴とするプロジェクタにおける光源装置の消灯プログラム。
【発明の詳細な説明】
【技術分野】
【０００１】
本発明は、プロジェクタ、プロジェクタにおける光源装置の消灯方法及びプロジェクタにおける光源装置の消灯プログラムに関する。 
【背景技術】
【０００２】
図８及び図９は、従来のプロジェクタにおける光源装置の消灯方法を説明するために示すフローチャートである。
【０００３】
従来のプロジェクタにおける光源装置の消灯方法は、図８に示すように、電源オフ操作があったら（ステップＳ１１１）、画面ミュートと音声ミュートとをかけ（ステップＳ１１２）、その後、遅延時間（ステップＳ１１３）を経過した後に、光源装置を消灯させる（ステップＳ１１４）というものである（例えば、特許文献１参照。）。
【０００４】
このため、誤操作によりうっかりと電源オフ操作をしてしまった場合であっても、図９に示すように、光源装置が点灯している遅延時間内に電源オン操作をすれば（ステップＳ１２１）、画面ミュートと音声ミュートとが解除されて（ステップＳ１２２、ステップＳ１２３）、電源オフ操作をする前の状態に復帰するので、光源装置を一度も消灯させることなくプロジェクタの映像を続けて楽しむことができる。
【０００５】
【特許文献１】特開平１１−１１９３４０号公報
【発明の開示】
【発明が解決しようとする課題】
【０００６】
しかしながら、従来のプロジェクタにおける光源装置の消灯方法においては、電源オフ操作をしたら、画面ミュートと音声ミュートとがかかってしまうため、使用者は電源がオフされたと認識してしまう。このため、誤操作によりうっかりと電源オフ操作をしたときや電源オフ操作をした後に急に気が変わったりしたときにおいて電源オフ操作を撤回したくなった場合でも、使用者は電源オフ操作を撤回するための適切な処置を行うことができないという問題があった。
【０００７】
なお、このような問題は、使用者が電源オフ操作をしたときだけに限られず、光源装置の消灯操作をしたときや、映像モード（ＴＶ、ＤＶＤ、ＶＴＲ、ＰＣ、ゲームなどの映像コンテンツを表示するモード）から音声モード（ＤＶＤオーディオ、ＣＤ、ＭＤ、テープ、ラジオなどの音声コンテンツを再生し、映像を表示しないモード）へのモード切換操作をしたときなど、すなわち、使用者の操作によって光源装置に対して消灯要求がなされる場合において一般に見られる問題である。
【０００８】
そこで、本発明は、このような問題を解決するためになされたもので、使用者の操作によって光源装置に対して消灯要求がなされた場合に、その操作を撤回可能な時期には使用者がそのことを明確に認識できるようにして、もってプロジェクタの使い勝手を向上することができるプロジェクタを提供することを目的とする。また、このようなプロジェクタにおける光源装置の消灯方法及びこのようなプロジェクタにおける光源装置の消灯方法をプロジェクタに実行させることのできるプロジェクタにおける光源装置の消灯プログラムを提供することを目的とする。
【課題を解決するための手段】
【０００９】
本発明のプロジェクタは、光源装置と、前記光源装置から射出される照明光束を画像情報に応じて変調して画像光を生成する電気光学変調装置と、前記電気光学変調装置により生成された画像光を投写する投写光学系とを備えたプロジェクタにおいて、光源装置の消灯要求があった場合には、前記電気光学変調装置の制御を行って第１の所定時間をかけて画面フェードアウトを行う第１機能と、前記第１の所定時間内に前記光源装置の消灯要求が撤回された場合には、前記画面フェードアウトを中止し、前記第１の所定時間内に前記光源装置の消灯要求が撤回されなかった場合には、前記光源装置を消灯させる第２機能とを有することを特徴とする。
【００１０】
このため、本発明のプロジェクタによれば、一旦光源装置の消灯要求があったとしても、所定時間内に光源装置の消灯要求が撤回された場合には、光源装置を消灯させる前に光源装置の消灯要求が撤回されることになるため、従来のプロジェクタにおける光源装置の消灯方法を用いる場合と同様に、誤操作によりうっかりと電源オフ操作をしてしまったような場合であっても、光源装置を一度も消灯させることなくプロジェクタの映像を続けて楽しむことができる。
【００１１】
また、本発明のプロジェクタによれば、光源装置の消灯要求があった場合には、電気光学変調装置の制御を行って第１の所定時間をかけて画面フェードアウトが行われるため、画面（画面フェードアウトの程度や画面の暗さ）を見れば、いつ光源装置が消灯されるのかが直感的に理解できるようになる。このため、使用者は光源装置の消灯要求を撤回させるための適切な処置（例えば、電源オン操作をしたり、光源装置の点灯操作をしたり、音声モードから映像モードへのモード切換操作をしたりする処置）を行うことができるようになり、もってプロジェクタの使い勝手を向上することができる。
【００１２】
本発明のプロジェクタにおいては、第１の所定時間としては、例えば５秒〜１０秒位の時間を設定することが好ましい。第１の所定時間が５秒未満である場合には、余裕をもって光源装置の消灯要求を撤回させることができないからである。また、第１の所定時間が１０秒以上である場合には、光源装置が消灯されるまでの時間が不必要に長くなってしまうからである。
【００１３】
本発明のプロジェクタにおいては、前記光源装置の消灯要求は、電源オフ操作に基づくものであることができる。
【００１４】
このように構成することにより、使用者がプロジェクタの使用中に誤操作によりうっかりと電源オフ操作をした場合や、電源オフ操作をした後に急に気が変わって再度プロジェクタを使用したくなった場合には、第１の所定時間内に電源オン操作をすることにより、光源装置を一度も消灯させることなくプロジェクタの映像を続けて楽しむことができる。
【００１５】
本発明のプロジェクタにおいては、前記光源装置の消灯要求は、前記光源装置の消灯操作に基づくものであることができる。
【００１６】
このように構成することにより、使用者がプロジェクタの使用中に誤操作によりうっかりと光源装置の消灯操作をした場合や、光源装置の消灯操作をした後に急に気が変わって光源装置を点灯させたくなった場合には、第１の所定時間内に光源装置の点灯操作をすることにより、光源装置を一度も消灯させることなくプロジェクタの映像を続けて楽しむことができる。
【００１７】
本発明のプロジェクタにおいては、前記光源装置の消灯要求は、映像モードから音声モードへのモード切換操作に基づくものであることができる。
【００１８】
このように構成することにより、使用者がプロジェクタの使用中に誤操作によりうっかりと映像モードから音声モードへのモード切換操作をしてしまった場合や、映像モードから音声モードへのモード切換操作をした後すぐに気が変わって映像モードに戻したくなった場合や、映像モードから音声モードへのモード切換操作をした後すぐに別の映像モードに切り換えたくなった場合には、第１の所定時間内に音声モードから映像モードへのモード切換操作をすることにより、光源装置を一度も消灯させることなくプロジェクタの映像を続けて楽しむことができる。
【００１９】
本発明のプロジェクタにおいては、前記第１機能は、前記画面フェードアウトを行っているときには、前記光源装置が点灯していることを示すインジケータを点灯又は点滅させる機能をさらに有することが好ましい。
【００２０】
このように構成することにより、画面フェードアウトを行っているときにはインジケータが点灯又は点滅しているため、使用者はインジケータの点灯状態を見ることによっても、光源装置が点灯されているのか又は消灯されているのかが直感的に理解できるようになる。このため、使用者は光源装置の消灯要求を撤回させるための適切な処置（例えば、電源オン操作をしたり、光源装置の点灯操作をしたり、音声モードから映像モードへのモード切換操作をしたりする処置）を行うことができるようになり、もってプロジェクタの使い勝手を向上することができる。
【００２１】
本発明のプロジェクタにおいては、前記第２機能は、前記第１の所定時間内に前記光源装置の消灯要求が撤回された場合には、前記画面フェードアウトを中止するとともに前記電気光学変調装置の制御を行って第２の所定時間をかけて画面フェードインを行う機能をさらに有することが好ましい。
【００２２】
このように構成することにより、徐々に画面が明るくなるため、プロジェクタの使用感が向上する。
【００２３】
本発明のプロジェクタにおいては、前記第２の所定時間は前記第１の所定時間よりも短いことが好ましい。
【００２４】
画面フェードインの効果は通常１秒〜２秒程度で十分であるため、第２の所定時間は第１の所定時間よりも短くて十分である。
【００２５】
本発明のプロジェクタにおいては、前記第１機能は、前記光源装置を点灯させてから第３の所定時間内に前記光源装置の消灯要求があった場合には、少なくとも前記第３の所定時間をかけて画面フェードアウトを行う機能をさらに有することが好ましい。
【００２６】
プロジェクタの光源装置は、点灯させた後にすぐに消灯させると発光管の寿命が短くなってしまうという問題がある。しかしながら、上記のような構成とすることにより、光源装置を点灯させた後すぐに光源装置の消灯要求があったとしても、少なくとも第３の所定時間が経過するまでは光源装置は消灯されなくなるため、上記した発光管の寿命が短くなってしまうという問題を回避することができる。
【００２７】
本発明のプロジェクタにおいては、前記第３の所定時間は２０秒〜４０秒の範囲が好ましい。
【００２８】
本発明のプロジェクタにおいては、前記第２機能は、前記光源装置を消灯させた場合には、第４の所定時間を経過してから前記光源装置を冷却するための冷却ファンを停止させる機能をさらに有することが好ましい。
【００２９】
プロジェクタの光源装置は、消灯後すぐには温度が下がらないため、光源装置の消灯後すぐに冷却ファンを停止させるのは好ましくない。しかしながら、上記のような構成とすることにより、光源装置の消灯後は第４の所定時間が経過するまでは冷却ファンが停止することがなくなる。
【００３０】
本発明のプロジェクタにおいては、前記第４の所定時間は１５秒〜６０秒の範囲が好ましい。
【００３１】
本発明のプロジェクタにおける光源装置の消灯方法は、光源装置と、前記光源装置から射出される照明光束を画像情報に応じて変調して画像光を生成する電気光学変調装置と、前記電気光学変調装置により生成された画像光を投写する投写光学系と備えたプロジェクタにおける光源装置の消灯方法において、光源装置の消灯要求があった場合には、前記電気光学変調装置の制御を行って第１の所定時間をかけて画面フェードアウトを行う第１ステップと、前記第１の所定時間内に前記光源装置の消灯要求が撤回された場合には、前記画面フェードアウトを中止し、前記第１の所定時間内に前記光源装置の消灯要求が撤回されなかった場合には、前記光源装置を消灯させる第２ステップとを有することを特徴とするプ。
【００３２】
このため、本発明のプロジェクタにおける光源装置の消灯方法によれば、一旦光源装置の消灯要求があったとしても、所定時間内に光源装置の消灯要求が撤回された場合には、光源装置を消灯させる前に光源装置の消灯要求が撤回されることになるため、従来のプロジェクタにおける光源装置の消灯方法の場合と同様に、誤操作によりうっかりと電源オフ操作をしてしまったような場合であっても、光源装置を一度も消灯させることなくプロジェクタの映像を続けて楽しむことができる。
【００３３】
また、本発明のプロジェクタにおける光源装置の消灯方法によれば、光源装置の消灯要求があった場合には、電気光学変調装置の制御を行って第１の所定時間をかけて画面フェードアウトが行われるため、画面（画面フェードアウトの程度や画面の暗さ）を見れば、いつ光源装置が消灯されるのかが直感的に理解できるようになる。このため、使用者は光源装置の消灯要求を撤回させるための適切な処置（例えば、電源オン操作をしたり、光源装置の点灯操作をしたり、音声モードから映像モードへのモード切換操作をしたりする処置）を行うことができるようになり、もってプロジェクタの使い勝手を向上することができる。
【００３４】
本発明のプロジェクタにおける光源装置の消灯プログラムは、光源装置と、前記光源装置から射出される照明光束を画像情報に応じて変調して画像光を生成する電気光学変調装置と、前記電気光学変調装置により生成された画像光を投写する投写光学系とを備えたプロジェクタに、光源装置の消灯要求があった場合には、前記電気光学変調装置の制御を行って第１の所定時間をかけて画面フェードアウトを行う第１ステップと、前記第１の所定時間内に前記光源装置の消灯要求が撤回された場合には、前記画面フェードアウトを中止し、前記第１の所定時間内に前記光源装置の消灯要求が撤回されなかった場合には、前記光源装置を消灯させる第２ステップとを実行させる手順を有することを特徴とする。
【００３５】
このため、本発明のプロジェクタにおける光源装置の消灯プログラムをプロジェクタに用いることとすれば、一旦光源装置の消灯要求があったとしても、所定時間内に光源装置の消灯要求が撤回された場合には、光源装置を消灯させる前に光源装置の消灯要求が撤回されることになるため、従来のプロジェクタにおける光源装置の消灯方法の場合と同様に、誤操作によりうっかりと電源オフ操作をしてしまったような場合であっても、光源装置を一度も消灯させることなくプロジェクタの映像を続けて楽しむことができる。
【００３６】
また、本発明のプロジェクタにおける光源装置の消灯プロジェクタをプロジェクタに用いることとすれば、光源装置の消灯要求があった場合には、電気光学変調装置の制御を行って第１の所定時間をかけて画面フェードアウトが行われるため、画面（画面フェードアウトの程度や画面の暗さ）を見れば、いつ光源装置が消灯されるのかが直感的に理解できるようになる。このため、使用者は光源装置の消灯要求を撤回させるための適切な処置（例えば、電源オン操作をしたり、光源装置の点灯操作をしたり、音声モードから映像モードへのモード切換操作をしたりする処置）を行うことができるようになり、もってプロジェクタの使い勝手を向上することができる。
【発明を実施するための最良の形態】
【００３７】
以下、本発明のプロジェクタ、プロジェクタにおける光源装置の消灯方法及びプロジェクタにおける光源装置の消灯プログラムについて、図に示す実施の形態に基づいて説明する。
【００３８】
図１は、実施形態に係るプロジェクタ１００を説明するために示す機能ブロック図である。図２は、実施形態に係るプロジェクタ１００を説明するために示す図である。図２（ａ）はプロジェクタ１００の正面図であり、図２（ｂ）はプロジェクタ１００の断面図である。図３〜図７は、実施形態に係るプロジェクタ１００における光源装置１０の消灯方法を説明するために示すフローチャートである。
【００３９】
実施形態に係るプロジェクタ１００は、図１に示すように、光源装置１０と、光源装置１０から射出される照明光束を画像情報に応じて変調して画像光を生成する電気光学変調装置としての液晶装置４０Ｒ，４０Ｇ，４０Ｂと、液晶装置４０Ｒ，４０Ｇ，４０Ｂにより生成された画像光を投写する投写光学系６０とを備えたプロジェクタである。このプロジェクタ１００は、光源装置１０を含む照明装置２０と、照明装置２０から射出される照明光束を色分離して各液晶装置４０Ｒ，４０Ｇ，４０Ｂに導く色分離導光光学系３０と、各液晶装置４０Ｒ，４０Ｇ，４０Ｂにより生成された画像光を合成するクロスダイクロイックプリズム５０と、投写光学系６０からの画像光が投写される透過型スクリーン７０とをさらに備えている。
【００４０】
また、プロジェクタ１００は、光源装置１０の点灯を制御する電源回路１２０と、液晶装置４０Ｒ，４０Ｇ，４０Ｂを駆動する液晶ドライバ１３０と、使用者からの操作を受け付ける操作部１４０及びリモートコントローラ１９０と、リモートコントローラ１９０からの信号を受信する受信部１５０と、光源装置１０の点灯状態を示すためのインジケータ１６０と、ＴＶチューナやＤＶＤ・ＨＤＤレコーダーなどの外部機器との接続に用いられる入出力インターフェース１７０と、光源装置１０の冷却を行うための冷却ファン１８０と、これらの制御を行う制御部１１０とを備えている。
【００４１】
また、プロジェクタ１００は、図２に示すように、リア型のプロジェクタ（プロジェクションテレビ）であって、筐体９０の中に、投写光学ユニット８０と、透過型スクリーン７０と、投写光学ユニット８０からの投写光を透過型スクリーン７０に向けて反射する反射ミラー８２とを備えている。また、プロジェクタ１００には、背面側の入出力インターフェース（図示せず。）を介して、ＴＶチューナ２００、ＤＶＤ・ＨＤＤレコーダー２１０、ＶＴＲ２２０、ＣＤプレーヤー２３０が接続されている。また、正面側の入出力インターフェース１７０を介してゲーム機器２４０が接続されている。
【００４２】
プロジェクタ１００の電源オン操作及び電源オフ操作は、リモートコントローラ１９０の電源オンボタン１９２及び電源オフボタン１９４を押すことにより行う。
【００４３】
このように構成されたプロジェクタ１００における光源装置１０の消灯方法は、図３に示すように、光源装置１０の消灯要求があった場合（ステップＳ１１のＹｅｓの場合）には、液晶装置４０Ｒ，４０Ｇ，４０Ｂの制御を行って第１の所定時間Ｔ１をかけて画面フェードアウトを行う（ステップＳ１３）第１ステップと、第１の所定時間Ｔ１内に光源装置１０の消灯要求が撤回された場合（ステップＳ１４のＹｅｓの場合）には、画面フェードアウトを中止し（ステップＳ１７）、第１の所定時間Ｔ１内に光源装置１０の消灯要求が撤回されなかった場合（ステップＳ１４のＮｏの場合）には、光源装置１０を消灯させる（ステップＳ１６）第２ステップとを有している。
【００４４】
このため、実施形態に係るプロジェクタ１００における光源装置１０の消灯方法によれば、一旦光源装置１０の消灯要求があったとしても、第１の所定時間Ｔ１内に光源装置１０の消灯要求が撤回された場合には、光源装置１０を消灯させる前に光源装置１０の消灯要求が撤回されることになるため、誤操作によりうっかりと電源オフ操作をしてしまったような場合であっても、光源装置１０を一度も消灯させることなくプロジェクタ１００の映像を続けて楽しむことができる。
【００４５】
また、実施形態に係るプロジェクタ１００における光源装置１０の消灯方法によれば、光源装置１０の消灯要求があった場合には、液晶装置４０Ｒ，４０Ｇ，４０Ｂの制御を行って第１の所定時間Ｔ１をかけて画面フェードアウトが行われるため、画面（画面フェードアウトの程度や画面の暗さ）を見れば、いつ光源装置１０が消灯されるのかが直感的に理解できるようになる。このため、使用者は光源装置１０の消灯要求を撤回させるための適切な処置（例えば、電源オン操作をしたり、光源装置１０の点灯操作をしたり、音声モードから映像モードへのモード切換操作をしたりする処置）を行うことができるようになり、もってプロジェクタ１００の使い勝手を向上することができる。
【００４６】
実施形態に係るプロジェクタ１００における光源装置１０の消灯方法においては、第１の所定時間Ｔ１としては、例えば５秒〜１０秒位の時間を設定することとしている。
これにより、光源装置１０が消灯されるまでの時間を不必要に長くしない範囲で、かつ、余裕をもって光源装置の消灯要求を撤回させることができる。
【００４７】
実施形態に係るプロジェクタ１００における光源装置１０の消灯方法においては、図４に示すように、光源装置１０の消灯要求は、電源オフ操作に基づくものであることができる。
【００４８】
この場合、第１ステップでは、電源オフ操作があった場合（ステップＳ２１のＹｅｓの場合）には、液晶装置４０Ｒ，４０Ｇ，４０Ｂの制御を行って第１の所定時間Ｔ１をかけて画面フェードアウトを行う（ステップＳ２３）。第２ステップでは、第１の所定時間Ｔ１内に電源オン操作があった場合（ステップＳ２４のＹｅｓの場合）には、画面フェードアウトを中止し（ステップＳ２７）、第１の所定時間Ｔ１内に電源オン操作がなかった場合（ステップＳ２４のＮｏの場合）には、光源装置１０を消灯させる（ステップＳ２６）。
【００４９】
これにより、使用者がプロジェクタ１００の使用中に誤操作によりうっかりと電源オフ操作をした場合や、電源オフ操作をした後に急に気が変わって再度プロジェクタ１００を使用したくなった場合には、第１の所定時間Ｔ１内に電源オン操作をすることにより、光源装置１０を一度も消灯させることなくプロジェクタ１００の映像を続けて楽しむことができる。
【００５０】
実施形態に係るプロジェクタ１００における光源装置１０の消灯方法においては、図５に示すように、光源装置１０の消灯要求は、光源装置１０の消灯操作に基づくものであることができる。
【００５１】
この場合、第１ステップでは、光源装置１０の消灯操作があった場合（ステップＳ３１のＹｅｓの場合）には、液晶装置４０Ｒ，４０Ｇ，４０Ｂの制御を行って第１の所定時間Ｔ１をかけて画面フェードアウトを行う（ステップＳ３３）。第２ステップでは、第１の所定時間Ｔ１内に光源装置１０の点灯操作があった場合（ステップＳ３４のＹｅｓの場合）には、画面フェードアウトを中止し（ステップＳ３７）、第１の所定時間Ｔ１内に光源装置１０の点灯操作がなかった場合（ステップＳ３４のＮｏの場合）には、光源装置１０を消灯させる（ステップＳ３６）。
【００５２】
これにより、使用者がプロジェクタ１００の使用中に誤操作によりうっかりと光源装置１０の消灯操作をした場合や、光源装置１０の消灯操作をした後に急に気が変わって光源装置１０を点灯させたくなった場合には、第１の所定時間Ｔ１内に光源装置１０の点灯操作をすることにより、光源装置１０を一度も消灯させることなくプロジェクタ１００の映像を続けて楽しむことができる。
【００５３】
実施形態に係るプロジェクタ１００における光源装置１０の消灯方法においては、図６に示すように、光源装置１０の消灯要求は、映像モードから音声モードへのモード切換操作に基づくものであることができる。
【００５４】
この場合、第１ステップでは、映像モードから音声モードへのモード切換操作があった場合（ステップＳ４１のＹｅｓの場合）には、液晶装置４０Ｒ，４０Ｇ，４０Ｂの制御を行って第１の所定時間Ｔ１をかけて画面フェードアウトを行う（ステップＳ４３）。第２ステップでは、第１の所定時間Ｔ１内に音声モードから映像モードへのモード切換操作があった場合（ステップＳ４４のＹｅｓの場合）には、画面フェードアウトを中止し（ステップＳ４７）、第１の所定時間Ｔ１内に音声モードから映像モードへのモード切換操作がなかった場合（ステップＳ４４のＮｏの場合）には、光源装置１０を消灯させる（ステップＳ４６）。
【００５５】
これにより、使用者がプロジェクタ１００の使用中に誤操作によりうっかりと映像モードから音声モードへのモード切換操作をしてしまった場合や、映像モードから音声モードへのモード切換操作をした後すぐに気が変わって映像モードに戻したくなった場合や、映像モードから音声モードへのモード切換操作をした後すぐに別の映像モードに切り換えたくなった場合には、第１の所定時間Ｔ１内に音声モードから映像モードへのモード切換操作をすることにより、光源装置１０を一度も消灯させることなくプロジェクタ１００の映像を続けて楽しむことができる。
【００５６】
実施形態に係るプロジェクタ１００における光源装置１０の消灯方法においては、第１ステップで画面フェードアウトを行っているときには、光源装置１０が点灯していることを示すインジケータ１６０を点灯又は点滅させることとしている。
【００５７】
これにより、画面フェードアウトを行っているときにはインジケータ１６０が点灯又は点滅しているため、使用者はインジケータ１６０の点灯状態を見ることによっても、光源装置１０が点灯されているのか又は消灯されているのかが直感的に理解できるようになる。このため、使用者は光源装置１０の消灯要求を撤回させるための適切な処置（例えば、電源オン操作をしたり、光源装置１０の点灯操作をしたり、音声モードから映像モードへのモード切換操作をしたりする処置）を行うことができるようになり、もってプロジェクタ１００の使い勝手を向上することができる。
【００５８】
実施形態に係るプロジェクタ１００における光源装置１０の消灯方法においては、第２ステップで、第１の所定時間Ｔ１内に光源装置１０の消灯要求が撤回された場合（例えば、電源オン操作をしたり、光源装置１０の点灯操作をしたり、音声モードから映像モードへのモード切換操作をしたりした場合）には、画面フェードアウトを中止するとともに液晶装置４０Ｒ，４０Ｇ，４０Ｂの制御を行って第２の所定時間Ｔ２をかけて画面フェードインを行うこととしている。
【００５９】
このような方法とすることにより、徐々に画面が明るくなるため、プロジェクタ１００の使用感が向上する。画面フェードインの効果は通常１秒〜２秒程度で十分であるため、第２の所定時間Ｔ２としては１秒〜２秒の時間を設定している。
【００６０】
実施形態に係るプロジェクタ１００における光源装置１０の消灯方法においては、図７に示すように、第１ステップで、光源装置１０を点灯させてから第３の所定時間Ｔ３内に光源装置１０の消灯要求があった場合には、第３の所定時間Ｔ３をかけて画面フェードアウトを行うこととすることができる。
【００６１】
プロジェクタ１００の光源装置１０は、点灯させた後にすぐに消灯させると発光管の寿命が短くなってしまうという問題がある。しかしながら、上記のような方法とすることにより、光源装置１０を点灯させた後すぐに光源装置１０の消灯要求があったとしても、第３の所定時間Ｔ３が経過するまでは光源装置１０は消灯されなくなるため、上記した発光管の寿命が短くなってしまうという問題を回避することができる。
【００６２】
実施形態に係るプロジェクタ１００における光源装置１０の消灯方法においては、第３の所定時間Ｔ３としては、例えば２０秒〜４０秒を設定している。
【００６３】
実施形態に係るプロジェクタ１００における光源装置１０の消灯方法においては、第２ステップで、光源装置１０を消灯させた場合には、第４の所定時間Ｔ４を経過してから光源装置１０を冷却するための冷却ファン１８０を停止させることとしている。
【００６４】
プロジェクタ１００の光源装置１０は、消灯後すぐには温度が下がらないため、光源装置１０の消灯後すぐに冷却ファン１８０を停止させるのは好ましくない。しかしながら、上記のような方法とすることにより、光源装置１０の消灯後は第４の所定時間Ｔ４が経過するまでは冷却ファン１８０が停止することがなくなる。
【００６５】
実施形態に係るプロジェクタにおける光源装置の消灯方法においては、第４の所定時間Ｔ４としては、例えば１５秒〜６０秒を設定している。
【００６６】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。 
【００６７】
（１）上記実施形態のプロジェクタ１００における光源装置１０の消灯方法は、電気光学変調装置として、液晶装置４０Ｒ，４０Ｇ，４０Ｂを備えたプロジェクタ１００を例にしているが、本発明はこれに限定されるものではない。デジタルマイクロミラーなどの他の電気光学変調装置を備えたプロジェクタに本発明を適用することもできる。
【００６８】
（２）上記実施形態のプロジェクタ１００における光源装置１０の消灯方法においては、リア型のプロジェクタ１００を例にして説明したが、本発明はこれに限られない。フロント型のプロジェクタに本発明を適用することもできる。
【００６９】
（３）上記実施形態のプロジェクタ１００における光源装置１０の消灯方法は、外部機器としてのＴＶチューナやＤＶＤ・ＨＤＤレコーダーなどと接続することにより映像や音声の供給を受けるプロジェクタを例にして説明したが、本発明はこれに限られない。ＴＶチューナやＤＶＤ・ＨＤＤレコーダーなどを内蔵するプロジェクタに本発明を適用することもできる。
【００７０】
（４）上記実施形態のプロジェクタ１００における光源装置１０の消灯方法においては、第１ステップで、光源装置１０を点灯させてから第３の所定時間Ｔ３内に光源装置１０の消灯要求があった場合には、第３の所定時間Ｔ３をかけて画面フェードアウトを行うこととしているプロジェクタを例にして説明したが、本発明はこれに限られない。第１ステップで、光源装置１０を点灯させてから第３の所定時間Ｔ３内に光源装置１０の消灯要求があった場合には、第３の所定時間Ｔ３の経過後に画面フェードアウトを行うこととしてもよい。この場合は、第３の所定時間Ｔ３を経過するまでは消灯要求の解除が可能であり、画面フェードアウト開始後は、第１の所定時間Ｔ１内に光源装置の消灯要求が撤回された場合には、画面フェードアウトを中止し、第１の所定時間Ｔ１内に光源装置１０の消灯要求が撤回されなかった場合には、光源装置１０を消灯させるようにすることもできる。
【００７１】
（５）上記実施形態のプロジェクタ１００における光源装置１０の消灯方法においては、液晶装置４０Ｒ，４０Ｇ，４０Ｂの制御を行って画面フェードアウトを行うプロジェクタ１００を例にして説明したが、本発明はこれに限られない。画面フェードアウト中に、光源装置１０の輝度を消灯しない程度に低下させるようにすることもできる。
【図面の簡単な説明】
【００７２】
【図１】実施形態に係るプロジェクタ１００を説明するために示す機能ブロック図。
【図２】実施形態に係るプロジェクタ１００を説明するために示す図。
【図３】実施形態に係るプロジェクタにおける光源装置の消灯方法を説明するために示すフローチャート。
【図４】実施形態に係るプロジェクタ１００における光源装置１０の消灯方法を説明するために示すフローチャート。
【図５】実施形態に係るプロジェクタ１００における光源装置１０の消灯方法を説明するために示すフローチャート。
【図６】実施形態に係るプロジェクタ１００における光源装置１０の消灯方法を説明するために示すフローチャート。
【図７】実施形態に係るプロジェクタ１００における光源装置１０の消灯方法を説明するために示すフローチャート。
【図８】従来のプロジェクタにおける光源装置の消灯方法を説明するために示すフローチャート。
【図９】従来のプロジェクタにおける光源装置の消灯方法を説明するために示すフローチャート。
【符号の説明】
【００７３】
１０…光源装置、２０…照明装置、３０…色分離導光光学系、４０Ｒ，４０Ｇ，４０Ｂ…液晶装置、５０…クロスダイクロイックプリズム、６０…投写光学系、７０…透過型スクリーン、８０…投写光学ユニット、８２…反射ミラー、９０…筐体、１００…プロジェクタ、１１０…制御部、１２０…電源回路、１３０…液晶ドライバ、１４０…操作部、１５０…受信部、１６０…インジケータ、１７０…入出力インターフェース、１８０…冷却ファン、１９０…リモートコントローラ、１９２…電源オンボタン、１９４…電源オフボタン、２００…ＴＶチューナ、２１０…ＤＶＤ・ＨＤＤレコーダー、２２０…ＶＴＲ、２３０…ＣＤプレーヤー、２４０…ゲーム機器
【図１】
2006293118.tif 000003
【図２】
2006293118.tif 000004
【図３】
2006293118.tif 000005
【図４】
2006293118.tif 000006
【図５】
2006293118.tif 000007
【図６】
2006293118.tif 000008
【図７】
2006293118.tif 000009
【図８】
2006293118.tif 000010
【図９】
2006293118.tif 000011